(57)【特許請求の範囲】
【請求項１】
複数のフィルタ特性を用いて伝送路推定信号を周波数方向に帯域制限するフィルタ部と、前記フィルタ部の出力を用いて受信信号を等化する等化部と、前記等化部の出力の受信品質を検出する品質検出部と、検出した受信品質を用いて前記複数のフィルタ特性から最適なフィルタ特性を判定する判定部とを具備し、
前記複数のフィルタ特性は、所定帯域幅のフィルタ特性と、前記所定帯域幅内の一部を通過させる複数のフィルタ特性とを有し、前記一部を通過させる複数のフィルタ特性は、２つ以上の通過域を持つフィルタ特性を含むことを特徴とするＯＦＤＭ受信装置。
【請求項２】
前記複数のフィルタ特性は、所定帯域幅内に主波の通過域とそれ以外の少なくとも１つの通過域とを含むことを特徴とする請求項１に記載のＯＦＤＭ受信装置。
【請求項３】
前記複数のフィルタ特性は、所定帯域幅で中心周波数が異なる複数のフィルタ特性と、前記中心周波数が異なるそれぞれのフィルタ特性に対して一部を通過させる複数フィルタ特性を有し、前記一部を通過させる複数フィルタ特性は、２つ以上の通過域を持つフィルタ特性を含み、
前記判定部は、複数の中心周波数のフィルタ特性の中から最適なフィルタ特性を決定し、次に決定されたフィルタ特性と、決定されたフィルタ特性の一部を通過させる複数のフィルタ特性の中から最適なフィルタ特性を決定することを特徴とする請求項１又は２に記載のＯＦＤＭ受信装置。
【請求項４】
前記複数のフィルタ特性は、帯域幅および中心周波数が異なる複数のフィルタ特性と、前記複数の帯域幅の中で所定帯域幅以上の帯域幅のフィルタ特性に対してその帯域幅内の一部を通過させる複数のフィルタ特性を有し、前記一部を通過させる複数フィルタ特性は、２つ以上の通過域を持つフィルタ特性を含み、
前記判定部は、帯域幅および中心周波数が異なる複数のフィルタ特性の中から最適な所定帯域幅のフィルタ特性を決定し、該所定帯域幅のフィルタ特性が決定された場合に、決定されたフィルタ特性と、決定されたフィルタ特性の一部を通過させる複数のフィルタ特性の中から最適なフィルタ特性を決定することを特徴とする請求項１乃至３のいずれか１つに記載のＯＦＤＭ受信装置。
【請求項５】
前記判定部は、複数のシフトパターンを順次に切り替え設定する通過域シフト部と、前記複数のシフトパターンのいずれかのシフトパターンにおける帯域幅内で、複数の通過域パターンを順次に切り替え設定する通過域パターン選択部とを備えたことを特徴とする請求項１乃至４のいずれか１つに記載のＯＦＤＭ受信装置。
【発明の詳細な説明】
【技術分野】
【０００１】
本発明の実施形態は、ＯＦＤＭ受信装置における伝送路応答の推定に関する。
【背景技術】
【０００２】
地上デジタル放送では、変調方式として互いに直交する複数の搬送波を用いる直交周波数分割多重方式(以下、ＯＦＤＭ方式)が採用されている。
【０００３】
一般にＯＦＤＭ方式における信号フォーマットは、伝送信号中にデータ信号のほかに、分散パイロット信号（以下、ＳＰ信号）が多重されており、これを時間方向および周波数方向に補間し、補間されたＳＰ信号を用いて伝送路応答を推定し、マルチパス歪などの等化を行う。
【０００４】
ＳＰ信号は、放送局から送信される状態では、伝送信号中に時間方向及び周波数方向それぞれにつき所定のシンボル数おきに間欠的に挿入されている。受信装置では、送られてくる伝送信号中からＳＰ信号を抽出し、このＳＰ信号について時間方向及び周波数方向に補間フィルタを用いてデータ信号の全てのシンボルに対して補間を行い、補間された全てのＳＰ信号を用いて伝送路応答を推定する。
【０００５】
ＳＰ信号の補間フィルタはマルチパスによる遅延時間の長い遅延波(長遅延波と呼ぶ)を含む多くの遅延波成分を通過できるとともに、雑音成分を除去できることが望ましい。
【先行技術文献】
【特許文献】
【０００６】
【特許文献１】特開２００６−３１１３８５号公報
【特許文献２】特開２００９−１１１７４８号公報
【特許文献３】特開２００７−３１８３１５号公報
【発明の概要】
【発明が解決しようとする課題】
【０００７】
本発明は、マルチパス時のＳＰ信号の補間フィルタにおいて長遅延波を含む遅延波成分を通過可能にするとともに、雑音除去性能を高めて受信性能の向上を図ったＯＦＤＭ受信装置を提供することを目的とする。
【課題を解決するための手段】
【０００８】
本発明の実施形態のＯＦＤＭ受信装置は、複数のフィルタ特性を用いて伝送路推定信号を周波数方向に帯域制限するフィルタ部と、前記フィルタ部の出力を用いて受信信号を等化する等化部と、前記等化部の出力の受信品質を検出する品質検出部と、検出した受信品質を用いて前記複数のフィルタ特性から最適なものを判定する判定部とを具備し、前記複数のフィルタ特性は、所定帯域幅のフィルタ特性と、前記所定帯域幅内の一部を通過させる複数のフィルタ特性とを有し、前記一部を通過させる複数のフィルタ特性は、２つ以上の通過域を含む。
【図面の簡単な説明】
【０００９】
【図１】本発明の第１の実施形態のＯＦＤＭ受信装置のブロック図。
【図２】ＯＦＤＭ信号の伝送フォーマット方式を説明する図。
【図３】第１の実施形態におけるフィルタ係数制御の一例を説明する図。
【図４】長遅延の遅延波成分に対応可能な広い帯域のフィルタに関する説明図。
【図５】短遅延の遅延波成分に対応可能な狭い帯域のフィルタに関する説明図。
【図６】第１の実施形態におけるフィルタ係数制御の他の例を説明する図。
【図７】本発明の第２の実施形態のＯＦＤＭ受信装置のブロック図。
【図８】第２の実施形態におけるフィルタ係数制御の一例を説明する図。
【図９】係数判定回路の他の実施例のブロック図。
【図１０】係数判定回路のもう１つの他の実施例のブロック図。
【発明を実施するための形態】
【００１０】
以下、本発明の実施の形態について図面を参照して詳細に説明する。  
［第１の実施形態］
図１は本発明の第１の実施形態のＯＦＤＭ受信装置のブロック図である。  
図１において、ＯＦＤＭ受信装置１００は、アンテナ１と、チューナ２と、Ａ／Ｄ変換器３と、ＩＱ復調回路４と、ＦＦＴ回路５と、ＦＦＴ窓制御回路６と、第１の等化回路７と、第１のＳＰ時間補間フィルタ８と、第１のＳＰ周波数補間フィルタ９と、誤り訂正回路１０と、第１の係数切替回路１１と、係数判定回路１２と、を備えている。
【００１１】
ＯＦＤＭ受信装置１００は、例えばＯＦＤＭ方式に準拠した伝送信号（以下、ＯＦＤＭ信号）を無線の伝送路を介して受信する。なお、有線の伝送路を介して受信してもよい。
【００１２】
チューナ２は、アンテナ１で受信されたＲＦ信号をＩＦ信号に周波数変換し、ＩＦ信号をＡ／Ｄ変換回路３に出力する。Ａ／Ｄ変換回路３は、チューナ２から供給されたＩＦ信号に対してＡ／Ｄ変換を施し、デジタルのＩＦ信号をＩＱ復調回路４に出力する。
【００１３】
ＩＱ復調回路４は、直交復調を行うことによって、Ａ／Ｄ変換回路３から供給されたＩＦ信号から時間領域ＯＦＤＭ信号を取得する。ＩＱ復調回路４は、時間領域ＯＦＤＭ信号をＦＦＴ回路５、及びＦＦＴ窓制御回路６に出力する。
【００１４】
ＦＦＴ回路５は、ＦＦＴ窓制御回路６から供給されたＦＦＴ窓制御信号に基づいて、１つのＯＦＤＭシンボルの信号から有効シンボル長の範囲の信号を抽出する。また、ＦＦＴ回路５は、抽出した時間領域のＯＦＤＭ信号に対してＦＦＴ演算を行うことによって、周波数領域のＯＦＤＭ信号を生成し、第１の等化回路７及び第１のＳＰ時間補間フィルタ８に出力する。
【００１５】
ＦＦＴ窓制御回路６は、受信信号の中から主波のタイミングを検出し、これを基準にＦＦＴ出力が最適となるようにＦＦＴ窓位置を検出する。ＦＦＴ回路５はＦＦＴ窓位置に従って時間軸のＯＦＤＭ信号を周波数軸上の信号に変換する。ＦＦＴ回路５の出力は図２の信号フォーマットに示す信号波配置となっている。
【００１６】
図２に示すＯＦＤＭ信号の信号フォーマット例においては、情報シンボルＳ１と、ＯＦＤＭ信号の伝送方式等を示すＴＭＣＣ／ＡＣシンボルＳ２と、ＯＦＤＭ信号の終端を示すＣＰシンボルＳ３と、ＳＰ信号のシンボルであるＳＰシンボルＳ４の各シンボルが含まれている。ＳＰシンボルＳ４は、例えば周波数方向に１／３、及び時間方向に１／４の割合で挿入されている。
【００１７】
第１のＳＰ時間補間フィルタ８は、周波数領域のＯＦＤＭ信号からＳＰ信号を抽出し、ＳＰ信号に対して時間方向の補間を行い、第１のＳＰ周波数補間フィルタ９に出力する。第１のＳＰ周波数補間フィルタ９は、時間方向に補間されたＳＰ信号に対してさらに周波数方向の補間を行うもので、この時間方向及び周波数方向に補間されたＳＰ信号によって全データに対応する伝送路応答を取得する。  
第１のＳＰ時間補間フィルタ８は、図２に示したようにＳＰ信号が４シンボルに１つの割合で存在するのて他の３シンボル分について例えば直線補間(ＳＰ間の時間差を等分する補間)をして値を入れ込む。
【００１８】
第１のＳＰ周波数補間フィルタ９は、後述するように、ＯＦＤＭ信号の信号品質を検出した結果に基づいて決定される最適なフィルタ係数を用いて、ＳＰ信号の周波数帯域をシンボルごとに制限することによってＳＰ信号を周波数方向に補間する。  
ここで、ＳＰ信号は、位相や電力が予め決められている既知信号であり、伝送信号の歪を推定するための伝送路応答を求めるのに伝送路推定シンボルとして使用される。
【００１９】
第１の等化回路７は、ＳＰ信号による伝送路推定信号を用いて、周波数領域のＯＦＤＭ信号を等化する。第１の等化回路７の出力は、誤り訂正回路１０に供給され、誤り訂正の復号処理が行われて受信データが復号される。
【００２０】
第１のＳＰ周波数補間フィルタ９のフィルタ係数を切り替える第１の係数切替回路１１は、図３(a)の複数のシフトパターンを順次に切り替え設定する通過域シフト部１１ａと、図３(b)の複数の通過域パターンを順次に切り替え設定する通過域パターン選択部１１ｂとを備える。  
係数判定回路１２は、第２のＳＰ周波数補間フィルタ１２５と、第２の係数切替回路１２４と、第２の等化回路１２１と、信号品質検出回路１２２と、制御部１２３とを備える。
【００２１】
第２のＳＰ周波数補間フィルタ１２５のフィルタ係数を切り替える第２の係数切替回路１２４は、図３(a)と同様な複数のシフトパターンを順次に切り替え設定する通過域シフト部１２４ａと、図３(b)と同様な複数の通過域パターンを順次に切り替え設定する通過域パターン選択部１２４ｂとを備える。
【００２２】
図３は、第１の実施形態におけるフィルタ係数制御の一例を説明する図である。  
第１の係数切替回路１１は、図３に示すように、主波位置を基準に中心周波数をシフトさせた複数のフィルタ特性と、シフトされたフィルタ特性の中から主波位置を含む一部帯域を通過させる複数のフィルタ特性とが切替可能になっており、係数判定回路１２からの供給されるシフト量と通過域パターンにしたがって動作する。
【００２３】
係数判定回路１２は、図３に示すフィルタ係数(フィルタパターン)を順次発生させて、それぞれの周波数補間を用いた等化出力の変調誤差比(以下、ＭＥＲ)から受信品質を検出し、受信品質が最も良いフィルタ係数を判定し、シフト量と通過域パターンの判定結果を第１の係数切替回路１１へ供給する。
【００２４】
なお、図３(a)及び(b)において、時間軸上での主波と遅延波(及び先行波)を表している図(横軸が遅延時間で、縦軸が電力を表す図)は、遅延プロファイルを実際に検出した結果を示したものではなく、最も信号レベルの大きい主波については例えば閾値を設けて、閾値を超えたものを主波レベルとして実際に検出すると、その主波位置を中心として前後の時間位置に先行波や遅延波が存在すると想定することができる。そのため、主波が存在する狭い帯域(以下、主波帯域)を含む所定帯域幅内に例えば遅延波が存在すると想定した状態も、時間軸上に仮想的に表している。主波に対する遅延波の存在を分かり易くするために遅延プロファイルに類似した図となっているが、本発明の実施形態では遅延プロファイル検出は全く行わず、考え得る多くのフィルタパターンをフィルタ係数を順次に変えることによって設定していき、受信品質が最良となるフィルタパターン(フィルタ特性)に決めるように動作する。これは、後述する図６及び図８においても同様である。  
主波については、同じ放送チャンネルにおける主波，遅延波及び先行波を含めた全ての信号波について、最も電力レベルの高い信号波を主波と定義している。
【００２５】
また、図３(a)のように所定の帯域幅のシフトパターンを周波数方向に移動させた後、図３(b)のようにその所定の帯域幅内の一部を通過させる２つ以上の通過域を持つ最適なフィルタ特性を生成する方法としては、主波帯域と同じ狭い帯域幅の通過域パターンが複数(図３(b)では２つ)重なった状態から該主波帯域の通過域パターンを中心に重なったもう１つの通過域パターンを次第に遠ざかるように、言い換えればフィルタ係数を制御して主波帯域の通過域パターンの中心から重なったもう１つの通過域パターンを分離させるようにして２つの通過域を持ったフィルタ特性(例えば通過帯域パターン６)を生成させる。すなわち、係数制御によって複数の狭い帯域幅のフィルタ帯域を周波数方向にフィルタパターンとして順に展開して行く過程のパターンを含んだ全てのフィルタパターンについて試行し、主波及び遅延波がうまくフィルタ通過域を通過して最良の信号品質結果が得られるフィルタパターンを決定する。これは後述する図６(b)及び図８(b)においても同様である。
【００２６】
次に、図３を参照して、係数判定回路１２の動作をさらに説明する。図３(a)及び(b)は第１の実施形態におけるフィルタ係数制御の一例を説明する図である。図３(a)はシフト量を順次に変えて複数のシフトパターンを試行する動作を示し、図３(b)は図３(a)でシフトパターン１が選択された後に、そのシフトパターン１によって決められた所定の帯域幅内において通過域パターンを順次に変えて一続きの通過域から試行して、独立的な２つの通過域を含んだ通過域パターンを試行するまでの動作を示している。
【００２７】
係数判定回路１２において、制御部１２３はフィルタ係数制御によってまず図３(a)に示す中心周波数をシフトさせたフィルタパターン１〜７のフィルタ特性を順次発生させる。図３に示す主波及び遅延波の遅延差の２波マルチパスが入力された場合、２波がフィルタ通過域内に収まるシフトパターン１のときに信号品質検出回路１２２でのＭＥＲが最小になり、受信品質が最良と判定される。次に、シフトパターン１に対して図３(b)に示すように主波および他の一部帯域を通過させる複数の通過域パターン１〜６のフィルタ特性を順次発生させる。図３(b)に示すような２波マルチパスの場合、全体域を通過させるシフトパターン１と比較して、主波および遅延波の近傍のみを通過させた通過域パターン６の雑音除去能力が高いため信号品質検出回路１２２でのＭＥＲが小さくなり、最終的に受信品質が最良と判定される。
【００２８】
図４は主波に対して遅延差の大きい遅延波成分(長遅延の遅延波成分という)を通過し得る広い帯域のフィルタに関する説明図であり、図５は主波に対して遅延差の小さい遅延波成分(短遅延の遅延波成分という)を通過し得る狭い帯域のフィルタに関する説明図である。
【００２９】
図４(a)は主波に対して遅延差の大きい遅延波の関係を示し、図４(b)は図４(a)のような長遅延の遅延波成分を有する伝送信号の周波数特性を示している。この場合の周波数特性は、ビートの間隔が短くなり、速い周期で変動する特性となる。従って、このような長遅延の遅延波にまで対応するためには高い周波数帯域を含む広い帯域のフィルタが必要となる。しかし、単に広い帯域のフィルタを用いると雑音成分が増えるという問題点を生じる。
【００３０】
図５(a)は主波に対して遅延差の小さい遅延波成分(短遅延の遅延波成分という)の関係を示し、図５(b)は図５(a)のような短遅延の遅延波成分を有する伝送信号の周波数特性を示している。この場合の周波数特性は、ビートの間隔が長くなり、ゆっくりした周期で変動する特性となる。従って、この場合、低い周波数帯域に対応した狭い帯域のフィルタで対応可能である。
【００３１】
図６は第１の実施形態におけるフィルタ係数制御の他の例を説明する図である。  
係数判定回路１２において、制御部１２３はまず図６(a)に示す中心周波数をシフトさせたフィルタパターン１〜７のフィルタ特性を順次発生させる。図６に示す先行波，主波及び遅延波の遅延差の３波マルチパスが入力された場合、３波がフィルタ通過域内に収まるシフトパターン４のときに信号品質検出回路１２２でのＭＥＲが最小になり、受信品質が最良と判定される。次に、シフトパターン４に対して図６(b)に示すように主波および他の一部帯域を通過させる複数の通過域パターン１〜６のフィルタ特性を順次発生させる。図６(b)に示すような３波マルチパスの場合、全体域を通過させるシフトパターン４と比較して、先行波，主波および遅延波の近傍のみを通過させた３つの通過域を持つ通過域パターン６の雑音除去能力が高いため信号品質検出回路１２２でのＭＥＲが小さくなり、最終的に受信品質が最良と判定される。
【００３２】
以上により、所定帯域内で１つまたは複数の通過域を持つフィルタ特性を用いて受信品質最良となるフィルタ特性をサーチすることにより、マルチパス波の遅延差が大きい場合でも遅延波がフィルタ通過域全体に広がっていない場合は、通過域以外の雑音はカットされるので、ＳＰ信号即ち伝送路推定信号の雑音を除去して受信性能を向上させることが可能となる。
【００３３】
第１の実施形態によれば、等化可能なマルチパス遅延時間範囲を拡大した場合、マルチパスの遅延差が大きい場合でも遅延波がフィルタ通過域全体に広がっていないときは、ＳＰ信号の雑音を除去して受信性能を向上させることができる。
【００３４】
［第２の実施形態］
図７は本発明の第２の実施形態のＯＦＤＭ受信装置のブロック図である。図１の第１の実施形態と同一部分には同一符号を付して説明を省略する。  
図７の第２の実施形態において、図１の第１の実施形態と異なる点は、第１の係数切替回路１１Ａが通過域シフト部１１ａと通過域パターン選択部１１ｂのほかに、図８(a)の複数の帯域幅を順次に切り替え設定する帯域幅切替部１１ｃを備えていることと、第２の係数切替回路１２４Ａが通過域シフト部１２４ａと通過域パターン選択部１２４ｂのほかに、図８(a)と同様な複数の帯域幅を順次に切り替え設定する帯域幅切替部１２４ｃを備えていることである。従って、制御部１２３Ａは、帯域幅切替部１１ｃと帯域幅切替部１２４ｃをも制御する構成となっている。その他の構成は図１と同様である。
【００３５】
図８は、第２の実施形態におけるフィルタ係数制御の一例を説明する図である。  
図７の第１の係数切替回路１１Ａは、図８(a)に示すように、帯域幅の狭い方から順に帯域幅１、帯域幅２、帯域幅３のフィルタ特性と持ち、最も広い帯域幅３について主波位置を基準に中心周波数をシフトさせた複数のフィルタ特性を持っている。また、帯域幅３のフィルタ特性に対して、シフトされたフィルタ特性の中から主波位置を含む一部帯域を通過させる複数のフィルタ特性が切り替え可能になっており、係数判定回路１２Ａからの供給される帯域幅、シフト量、通過域パターンにしたがって動作する。
【００３６】
図７の係数判定回路１２Ａは、第２のＳＰ周波数補間フィルタ１２５と、第２の係数切替回路１２４Ａと、第２の等化回路１２１と、信号品質検出回路１２２と、制御部１２３Ａとを備え、図８に示すフィルタ係数(フィルタパターン)を発生させて、それぞれの周波数補間を用いた等化出力のＭＥＲから受信品質を検出し、受信品質が最も良いフィルタ係数を判定し、判定結果を第１の係数切替回路１１Ａへ供給する。
【００３７】
次に、図８を参照して、係数判定回路１２Ａの動作をさらに説明する。  
係数判定回路１２Ａにおいて、制御部１２３Ａはまず図８(a)に示すように、帯域幅１、帯域幅２、帯域幅３について主波位置を基準に中心周波数をシフトさせた複数のフィルタ特性を順次発生させる。図８に示す遅延差の２波マルチパスが入力された場合、２波がフィルタ通過域内に収まる帯域幅３＋シフトパターン１のときにＭＥＲが最小になり、受信品質が最良と判定される。
【００３８】
次に、帯域幅３＋シフトパターン１の所定の帯域幅に対して図８(b)に示すように主波および他の一部帯域を通過させる複数の通過域パターンのフィルタ特性を順次発生させる。図８(b)において、帯域幅２以下の通過域は図８(a)で判定済みなので、帯域幅２を超える通過域を含む場合のみサーチする。図８に示すような２波マルチパスの場合、全体域を通過させる帯域幅３＋シフトパターン１と比較して、主波および遅延波の近傍のみを通過させた通過域パターン４の雑音除去能力が高いためＭＥＲが小さくなり、最終的に受信品質が最良と判定される。
【００３９】
図８(a)の判定において、マルチパス遅延波が帯域幅１に収まる場合は帯域幅１がＭＥＲ最小になり、マルチパス遅延波が帯域幅１を超えるが帯域幅２の場合は帯域幅２がＭＥＲ最小になる。帯域幅１または帯域幅２のフィルタ特性が選択された場合、フィルタの雑音除去は良好なので、さらに部分的に通過域をサーチする処理は行わなくてもよいので省略する。
【００４０】
以上により、複数の帯域幅のフィルタ特性による判定を先に行い、広い帯域フィルタが選択された場合に帯域内で１つまたは複数の通過域を持つフィルタ特性の判定を行うことによって、マルチパス遅延差が小さい場合は全フィルタパターンをサーチする必要がなくなり消費電力を削減できる。また、遅延差が大きい場合でも遅延波がフィルタ通過域全体に広がっていない場合は、ＳＰ信号の雑音を除去して受信性能を向上させることができる。
【００４１】
第２の実施形態によれば、マルチパスの遅延差が小さい場合の演算量を削減して消費電力を抑えるとともに、マルチパスの遅延差が大きい場合でも遅延波がフィルタ通過域全体に広がっていない場合は、ＳＰ信号即ち伝送路推定信号の雑音を除去して受信性能を向上させることができる。
【００４２】
［第３の実施形態］
図９は本発明の第３の実施形態のＯＦＤＭ受信装置における係数判定回路の他の実施例のブロック図である。図１の係数判定回路と同一部分には同一符号を付して説明する。
【００４３】
図１の係数判定回路１２では、フィルタ係数を順次切り替えて受信品質を検出しているが、移動受信などで受信信号の状態が変動した場合、受信品質の差が受信状態の変動によるものか或いはフィルタ係数の差によるものかの判定を誤るおそれがある。
【００４４】
図９に示す係数判定回路１２Ｂは、第２のＳＰ周波数補間フィルタ１２５と、第２の係数切替回路１２４と、第２の等化回路１２１と、第１の信号品質検出回路１２２とによる図１と同様な一組の回路部ほかに、第３のＳＰ周波数補間フィルタ１４と、第３の係数切替回路１６と、第３の等化回路１３と、第２の信号品質検出回路１５とによる新たなもう一組の回路部が設けられている。
【００４５】
第３の係数切替回路１６は、通過域シフト部１２４ａと同様な通過域シフト部１６ａと、通過域パターン選択部１２４ｂと同様な通過域パターン選択部１６ｂとを備えている。従って、制御部１２３Ｂは、図１に示した第１の係数切替回路１１及び第２の係数切替回路１２４のほかに、第３の係数切替回路１６をも制御する構成となっている。その他の構成は図１の係数判定回路と同様である。
【００４６】
図９では、ＳＰ周波数補間フィルタ、係数切替回路、等化回路、及び信号品質検出回路の回路部を２組設けて、同一の受信信号に対して２つのフィルタ係数により第２及び第３の等化回路１２１及び１３で等化された信号に基づき第１及び第２の信号品質検出回路１２２及び１５でそれぞれ受信品質を検出し、制御部１２３Ｂは受信品質の良い方を選択する。選択されたフィルタ特性での品質と次のフィルタ特性での品質を順次比較することで、最終的に最適なフィルタ係数を決定する。
【００４７】
以上の構成により、移動受信などで受信信号の状態が変動した場合でも最適なフィルタ係数を決定することができる。同様の構成は第２の実施形態のＯＦＤＭ受信装置に対しても適用することができる。
【００４８】
［第４の実施形態］  
図１０は発明の第３の実施形態のＯＦＤＭ受信装置における係数判定回路のもう１つの他の実施例のブロック図である。  
図１０に示す係数判定回路１２Ｃは、図１における係数判定回路１２において第２の等化回路１２１及び第２のＳＰ周波数補間フィルタ１２５の各前段にそれぞれメモリ１２６及び１２７を配設したものである。その他の構成は図１の係数判定回路と同様である。
【００４９】
図１０では、ＦＦＴ出力信号および時間補間後のＳＰ信号をそれぞれメモリ１２６及び１２７に保持し、同一の信号に対してフィルタ係数を順次切り替えて受信品質を検出し、最適フィルタを決定する。
【００５０】
以上の構成により、移動受信などで受信信号の状態が変動した場合でも最適なフィルタ係数を決定することができる。同様の構成は第２の実施形態のＯＦＤＭ受信装置に対しても適用することができる。
【００５１】
本発明の実施形態のＯＦＤＭ受信装置によれば、時間方向及び周波数方向に分散されたＳＰ信号を時間方向及び周波数方向にＳＰ信号補間フィルタで補間し、補間されたＳＰ信号を用いて等化時に必要な伝送路応答を推定する際に、ＳＰ信号補間フィルタとして所定帯域内に２つ以上の通過域を持つフィルタ特性を用いて、複数の通過域パターンを順次切り替えて試行し、受信品質が最適となるようにフィルタ特性の通過域を決定することによって、ＳＰ信号の補間が良好に行える。伝送信号中に長遅延の遅延波成分があり広い帯域に対してフィルタを適用する場合でも、雑音の影響を除去してマルチパス時の受信性能を向上させることができる。
【符号の説明】
【００５２】
５…ＦＦＴ回路、７…等化回路(等化部)、９…ＳＰ周波数補間フィルタ(フィルタ部)、１２２…信号品質検出回路(品質検出部)、１２…係数判定回路(判定部)、１２３…制御部。
【図１】
0005398652.tif 000002
【図２】
0005398652.tif 000003
【図３】
0005398652.tif 000004
【図４】
0005398652.tif 000005
【図５】
0005398652.tif 000006
【図６】
0005398652.tif 000007
【図７】
0005398652.tif 000008
【図８】
0005398652.tif 000009
【図９】
0005398652.tif 000010
【図１０】
0005398652.tif 000011